(57)【要約】【課題】    温度変化に起因するランプ及び拡散プレートの変形を防ぐストレイトダウンバックライトモジュールのサポート構造を提供すること。【解決手段】    拡散プレートと、拡散プレートの下部に配置した反射プレート（バックプレート）と、拡散プレートと反射プレートとの間に配置したランプと、拡散プレートと反射プレートとの間に設置したサポート部材とを有するストレイトダウンバックライトである。【選択図】図３
2006032016.tif 000002
【特許請求の範囲】
【請求項１】
拡散プレートと、
前記拡散プレートの下部に配置した反射装置と、
前記拡散プレートと前記反射装置との間に配置したランプと、
前記反射装置上及び前記拡散プレートと前記反射装置との間に配置されたランプカバーを備え、前記ランプを支持するためのサポート部材とにより構成することを特徴とする、
ストレイトダウンバックライトモジュール。
【請求項２】
請求項１記載のストレイトダウンバックライトモジュールにおいて、前記サポート部材が、前記反射装置上及び前記拡散プレートと前記拡散プレートを支持するための前記反射装置との間に配置した少なくとも一つのピンから成ることを特徴とする、ストレイトダウンバックライトモジュール。
【請求項３】
請求項１記載のストレイトダウンバックライトモジュールにおいて、前記反射装置が反射プレートであることを特徴とする、ストレイトダウンバックライトモジュール。
【請求項４】
請求項１記載のストレイトダウンバックライトモジュールにおいて、前記反射装置が、基板と、前記基板上に設置された反射片とから成ることを特徴とする、ストレイトダウンバックライトモジュール。
【請求項５】
請求項１記載のストレイトダウンバックライトモジュールにおいて、前記反射装置が開口を備えている反射プレートであり、又、前記サポート部材が、前記反射プレートをつなぎ合わせるよう前記開口を介して前記反射プレートに挿入することのできる柄から成るピンを備えていることを特徴とする、ストレイトダウンバックライトモジュール。
【請求項６】
請求項１記載のストレイトダウンバックライトモジュールにおいて、前記反射装置が開口を備えている反射プレートであり、前記サポート部材が前記反射プレート開口上に固定されていることを特徴とする、ストレイトダウンバックライトモジュール。
【請求項７】
請求項１記載のストレイトダウンバックライトモジュールにおいて、前記サポート部材の前記ランプカバーが、下半部がＵ字型を、上半部が逆Ｕ字型を形成することを特徴とする、ストレイトダウンバックライトモジュール。
【請求項８】
請求項１記載のストレイトダウンバックライトモジュールにおいて、前記サポート部材が波型を形成することを特徴とする、ストレイトダウンバックライトモジュール。
【請求項９】
請求項１記載のストレイトダウンバックライトモジュールにおいて、前記サポート部材の前記ランプカバーがＵ字型を形成することを特徴とする、ストレイトダウンバックライトモジュール。
【請求項１０】
請求項１記載のストレイトダウンバックライトモジュールにおいて、前記サポート部材の前記ランプカバーが四角形を形成することを特徴とする、ストレイトダウンバックライトモジュール。
【請求項１１】
請求項１記載のストレイトダウンバックライトモジュールにおいて、前記サポート部材の前記ランプカバーが多角形を形成することを特徴とする、ストレイトダウンバックライトモジュール。
【請求項１２】
請求項１記載のストレイトダウンバックライトモジュールにおいて、前記サポート部材が合成樹脂から成ることを特徴とする、ストレイトダウンバックライトモジュール。
【請求項１３】
請求項１記載のストレイトダウンバックライトモジュールにおいて、前記サポート部材が、ポリスチレン樹脂誘導体、ポリメチルメタクリルライト、ポリカーボネート、エポクシ、シリコン、オレフィン樹脂、ポリアミド樹脂、及びポリマー樹脂を含む合成樹脂から成ることを特徴とする、ストレイトダウンバックライトモジュール。
【発明の詳細な説明】
【技術分野】
【０００１】
本発明はストレイトダウンバックライトモジュールのサポート構造に関わるものであり、特に、温度の変化及び材質の不適切な硬直に起因する拡散プレート及びランプの変形を防ぐためのサポート構造に関わるものである。
【背景技術】
【０００２】
拡散プレート、反射プレート、プリズム、拡散ストリップ、２本の支柱、複数のランプを有する、第一の従来のストレイトダウンバックライトモジュールを図１に示してある。反射プレートが拡散プレートの下部に配置されており、プリズムが拡散プレートの上部に配置されている。支柱は反射プレートの上及び、拡散プレートと反射プレートとの間に配置されている。ランプは拡散プレートと反射プレートとの間に配置されている。
【０００３】
図１の特許文献１に記載の従来型のストレイトダウンバックライトモジュールにおいては、拡散プレートを支持するため、反射プレートと拡散プレートとの間に一般的にいくつかのサポート部材が配置されており、これにより拡散プレートの変形に起因するストレイトダウンバックライトモジュールの光学性能の低下を防ぐものである。しかし、ＬＣＤの大きさが増すほど、ランプも大きく長くなり、これによりランプの変形を引き起こし、ストレイトダウンバックライトモジュール全体として光学性能が低下してしまう。
【０００４】
上記の従来型ストレイトダウンバックライトモジュールにあるような問題点を解決するための第二の従来型ストレイトダウンバックライトモジュールが図２に示されている。
【０００５】
特許文献２に記載の第二の従来型ストレイトダウンバックライトモジュールにおいては、ランプの下部に配置された支柱を有している。しかしながらＬＣＤの大きさが増すと拡散プレートも大きくなってしまい、即ちこの場合ランプの熱により拡散プレートが変形をし、ストレイトダウンバックライトモジュール全体として光学性能が低下してしまう。
【特許文献１】台湾特許広報５６７２９１（図１）
【特許文献２】特開平５−２０９７０３（図２）
【発明の開示】
【発明が解決しようとする課題】
【０００６】
前記した従来のストレイトダウンバックライトモジュールには次のような問題点がある。
＜１＞特許文献１に開示された第一のタイプの従来型ストレイトダウンバックライトモジュールにおいては、ＬＣＤの大きさが増すほど、ランプも大きく長くなり、これによりランプの変形を引き起こし、ストレイトダウンバックライトモジュール全体として光学性能が低下してしまう。
＜２＞特許文献２に開示された第二のタイプの従来型ストレイトダウンバックライトモジュールにおいては、ＬＣＤが大きさを増すと拡散プレートも大きくなり、即ちこの場合ランプの熱により拡散プレートが変形をし、ストレイトダウンバックライトモジュール全体として光学性能が低下してしまう。
【０００７】
本発明の目的は上記に記載したような従来技術の問題点を解決する拡散プレートとランプをサポートし、その変形を防ぐストレイトダウンバックライトモジュールを提供することにある。
【０００８】
即ち、ＬＣＤ及び拡散プレートの大きさが増しても、その乏しい硬直性が故に拡散プレートとランプの変形を引き起こすことがなく、又、ＬＣＤが長時間使用された際にも、拡散プレート及び反射プレートが熱による拡張変形を防ぎ、全体として光学性質が低下しないようなストレイトダウンバックライトモジュールを提供することが本発明の目的である。
【課題を解決するための手段】
【０００９】
上記の課題を解決するために、本願の第１の発明に係るストレイトダウンバックライトモジュールは、拡散プレートと、前記拡散プレートの下部に配置した反射装置と、前記拡散プレートと前記反射装置との間に配置したランプと、前記反射装置上及び前記拡散プレートと前記反射装置との間に配置されたランプカバーを備えた、前記ランプを支持するためのサポート部材とにより構成することを特徴とするものである。
【００１０】
第２の発明に係るストレイトダウンバックライトモジュールは、前記第１の発明において、前記サポート部材が、前記反射装置上及び前記拡散プレートと前記拡散プレートを支持するための前記反射装置との間に配置した少なくとも一つのピンから成ることを特徴とするものである。
【００１１】
第３の発明に係るストレイトダウンバックライトモジュールは、前記第１の発明において、前記反射装置が反射プレートであることを特徴とするものである。
【００１２】
第４の発明に係るストレイトダウンバックライトモジュールは、前記第１の発明において、前記反射装置が、基板と、前記基板上に設置された反射片とから成ることを特徴とするものである。
【００１３】
第５の発明に係るストレイトダウンバックライトモジュールは、前記第１の発明において、前記反射装置が開口を備えている反射プレートであり、又、前記サポート部材が、前記反射プレートをつなぎ合わせるよう前記開口を介して前記反射プレートに挿入することのできる柄から成るピンを備えていることを特徴とするものである。
【００１４】
第６の発明に係るストレイトダウンバックライトモジュールは、前記第１の発明において、前記反射装置が開口を備えている反射プレートであり、前記サポート部材が前記反射プレート開口上に固定されていることを特徴とするものである。
【００１５】
第７の発明に係るストレイトダウンバックライトモジュールは、前記第１の発明において、前記サポート部材の前記ランプカバーが、下半部がＵ字型を、上半部が逆Ｕ字型を形成することを特徴とするものである。
【００１６】
第８の発明に係るストレイトダウンバックライトモジュールは、前記第１の発明において、前記サポート部材が波型を形成することを特徴とするものである。
【００１７】
第９の発明に係るストレイトダウンバックライトモジュールは、前記第１の発明において、前記サポート部材の前記ランプカバーがＵ字型を形成することを特徴とするものである。
【００１８】
第１０の発明に係るストレイトダウンバックライトモジュールは、前記第１の発明において、前記サポート部材の前記ランプカバーが四角形を形成することを特徴とするものである。
【００１９】
第１１の発明に係るストレイトダウンバックライトモジュールは、請求項１において、前記サポート部材の前記ランプカバーが多角形を形成することを特徴とするものである。
【００２０】
第１２の発明に係るストレイトダウンバックライトモジュールは、前記第１の発明において、前記サポート部材が合成樹脂から成ることを特徴とするものである。
【００２１】
第１３の発明に係るストレイトダウンバックライトモジュールは、前記第１の発明において、前記サポート部材が、ポリスチレン樹脂誘導体、ポリメチルメタクリルライト、ポリカーボネート、エポクシ、シリコン、オレフィン樹脂、ポリアミド樹脂、及びポリマー樹脂を含む合成樹脂から成ることを特徴とするものである。
【発明の効果】
【００２２】
本発明に係るストレイトダウンバックライトモジュールはサポート部材にランプカバーを備え、又、必要に応じて少なくとも一つのピン等の付加部材を備えランプを支持することで、ＬＣＤの大きさに係らず、更にその使用時間が長期間に渡った際にも、温度変化によるランプ及び拡散プレートの変形を防止することができ、これに起因するストレイトダウンバックライトモジュール全体としての光学性能の低下を防ぐことができる。
【発明を実施するための最良の形態】
【００２３】
本発明は、拡散プレートと、従来の拡散プレートの下部に配置された反射装置と、拡散プレートと反射プレートとの間に配置されたランプと、反射プレートの上及び拡散プレートと反射プレートとの間に配置されているサポート部材とを有するものである。又、サポート部材はランプの変形を防ぐため、アーチ状のランプカバーを備えている。
【００２４】
更にサポート部材は、拡散プレートとランプを支持するためピン等の付加部材を備えることがある。
【００２５】
以下、図面を参照しながら本発明の実施の例について説明する。
【実施例１】
【００２６】
本発明の実施例１として、小型のＬＣＤの適用がある。図３Ａ、及び４Ａに示されているように本発明のストレイトダウンバックライトモジュール１０は、拡散プレート２０と、反射プレート３０と、ランプ４０と、ランプカバー５１を有したサポート部材５０とを備えている。
【００２７】
反射プレート３０は拡散プレート２０及びランプ４０の下部に配置されている。ランプ４０は拡散プレート２０と反射プレート３０間に配置されている。サポート部材５０は反射プレート３０の上及び拡散プレート２０と反射プレート３０との間に配置されている。
【００２８】
図３Ａ、及び４Ａに示されているように、サポート部材５０はランプカバー５１を有する。ランプ４０はランプカバー５１により覆われ、支持されている。
【００２９】
サポート部材５０が合成樹脂及び耐熱性の材質により形成されているため、サポート部材５０がランプ４０を支持し、その変形を引き起こさないものである。
【００３０】
本実施例では、サポート部材５０は反射プレートの上部に置かれ、実質的に波型構造を形成している。サポート部材５０の大きさは拡散プレート２０と反射プレート３０との間にあるスペースにより決定されるものである。
【００３１】
本実施例において、サポート部材５０のランプカバー５１は上半部が逆Ｕの字型に形成されている。サポート部材５０の逆Ｕの字型部分はその直径をランプ４０の直径より大き目に形成している。ランプ４０は、ランプカバー５１により覆われており、それによりランプ４０の熱による変形を最小限にしている。
【００３２】
図４Ａに示されているように、サポート部材５０は反射プレート３０に接着固定されているか、或は、スロット３１を反射プレート３０に設置しフック６０をサポート部材５０の下側に形成する。フック６０はスロット３１を介して挿入することができ、これにより反射プレート３０を留めランプ４０を支持する。
【００３３】
ＬＣＤの大きさが増した際は、付加部材ピン５２をサポート部材５０に配置し、サポート部材５０'を形成する。
【実施例２】
【００３４】
図３Ａ、及び４Ｂに示されているように、本発明の実施例２のストレイトダウンバックライトモジュール１０は、拡散プレート２０と、従来外反射装置３０と、ランプ４０と、ランプカバー５１を有したサポート部材５０'とを備えている。サポート部材５０'はすくなくとも一つの付加部材ピン５２を有している。
【００３５】
従来型反射装置３０は反射プレートもしくは反射片が配置された基板等でもよい。
【００３６】
従来型反射装置３０は拡散プレート２０及びランプ４０の下部に配置される。ランプ４０は拡散プレート２０と反射装置３０との間に配置される。サポート部材５０'は反射装置３０の上及び、拡散プレート２０と反射装置３０との間に配置される。
【００３７】
図３Ｂ、及び４Ｂに示されているように、サポート部材５０'は拡散プレート２０とランプ４０を同時に支持している。サポート部材５０'はランプカバー５１を有し、ランプ４０はこのランプカバー５１に覆われていることで支持されている。
【００３８】
サポート部材５０'が合成樹脂及び耐熱性の材質により形成されているため、サポート部材５０'が拡散プレート２０及びランプ４０を支持し、拡散プレート２０及びランプ４０の変形を引き起こすことがない。
【００３９】
本実施例では、サポート部材５０'は反射装置３０上に配置されており、波型構造を有している。サポート部材５０'の大きさは、拡散プレート２０と反射装置３０との間にあるスペースにより決定される。サポート部材５０'のピン５２の大きさは、拡散プレート２０を支持するよう、拡散プレート２０と反射装置３０間の高さに合ったものになっている。
【００４０】
本実施例においては、サポート部材５０'のランプカバー５１は上半部が逆Ｕの字型に形成されている。サポート部材５０'の逆Ｕの字型部分はその直径をランプ４０の直径より大き目に形成している。ランプ４０は、ランプカバー５１により覆われており、それによりランプ４０の熱による変形を最小限にしている。
【００４１】
図６に示されているように、スロット３１を反射装置３０に設置し、フック６０をサポート部材５０'の下側に形成する。フック６０はスロット３１を介して挿入することができ、これにより反射装置３０を留めるものである。
【００４２】
或は、柄５２１をサポート部材５０'のピン５２の下部及び、反射装置３０に設置された開口３２に配置することもできる。図６に示されているように、サポート部材５０'を反射装置３０に配置する際、柄５２１を開口３２を介して設置し、販社装置３０とつなぎ合わせる。もしくは、サポート部材５０'を反射装置３０に接着固定し、柄５２１を開口３２に接着固定してもよい。更に、柄５２１は紐等により、反射装置３０の開口３２とつなぎ合わせ固定することも可能である。
【００４３】
サポート部材５０'、ランプカバー５１、ピン５２及び柄５２１は様々な形に形成することができ、又、様々な手法により互いを結合させることができる。
【００４４】
図５Ａ、５Ｂ、５Ｃ、及び５Ｄは異なった形を形成しているピンを示している。
【００４５】
図６に示されているように、サポート部材５０'はフック固定、接着固定紐等による固定もしくは柄による固定など、様々な手法により反射装置３０に固定することができる。
【００４６】
更に、サポート部材５０'に、図７Ａ及び７Ｂにそれぞれ示されているように、単体もしくは複数のランプカバー５１を備えることができる。
【００４７】
そして、サポート部材５０'のランプカバー５１は、図８Ａ、８Ｂ、８Ｃ、及び８Ｄにそれぞれ示されているようにＵ字型、円形、四角型もしくは多角形型などを形成することができる。又、上記実施例においてランプカバーは単にランプを覆っているだけであるが、図９に在るようにランプを留めることも可能である。尚、ランプをランプカバーにより覆う手法はここに記載されているものに限られるものではない。
【００４８】
サポート部材の部材については、例えば、ＨＩＰＳ、ＡＢＳ、ＭＳ、及びＳＡＮのようなポリスチレン樹脂誘導体、ポリメチルメタクリルライト（ＰＭＭＡ）、ポリカーボネート（ＰＣ）、エポクシ、シリコン、ＰＥ及びＰＰのようなオレフィン樹脂又はナイロンのようなポリアミド樹脂、そしてＰＥＴのようなポリマー樹脂などが使用できる。
【００４９】
以上本発明の実施例を説明してきたが、当該技術者が本発明の範囲を超えずに上記実施例以外のバリエーションを引き出すことが可能であり、即ち本発明は、上記に記載された実施例に限定されるものではない。
【図面の簡単な説明】
【００５０】
【図１】第一従来技術に係るストレイトダウンバックライトモジュールの断面図
【図２】第二従来技術に係るストレイトダウンバックライトモジュールの断面図
【図３】本発明の実施形態に係るストレイトダウンバックライトモジュールの断面図
【図４】サポート部材の、本発明に係るストレイトダウンバックライトモジュールへの設置説明図
【図５】異なったプランジャーの、本発明に係るストレイトダウンバックライトモジュールにおける使用説明図
【図６】異なったサポート部材の、本発明に係るストレイトダウンバックライトモジュールにおける反射装置への設置様子を示した説明図
【図７】本発明に係るストレイトダウンバックライトモジュールにおける単数及び複数のランプカバーを示した説明図
【図８】本発明に係るストレイトダウンバックライトモジュールにおけるランプカバーで、それらがＵ字型、円形、四角型及び多角形型を形成している様子を示した説明図
【図９】ランプを支持するサポート部材の説明図
【符号の説明】
【００５１】
１０・・・ストレイトダウンバックライトモジュール
２０・・・拡散プレート
３０・・・反射装置
３１・・・スロット
３２・・・開口
４０・・・ランプ
５０・・・サポート部材
５０'・・・ピンを備えたサポート部材
５１・・・ランプカバー
５２・・・ピン
５２１・・・柄
６０・・・フック
【図１】
2006032016.tif 000003
【図２】
2006032016.tif 000004
【図３】
2006032016.tif 000005
【図４】
2006032016.tif 000006
【図５】
2006032016.tif 000007
【図６】
2006032016.tif 000008
【図７】
2006032016.tif 000009
【図８】
2006032016.tif 000010
【図９】
2006032016.tif 000011